(57)【要約】      （修正有）【課題】白熱ランプの固定構造に対してＬＥＤランプを取り付けと共にその放熱を可能とする発光モジュールのハウジングを提供する。【解決手段】ＬＥＤを配置した発光モジュール１を固定して搭載する板体２３を備え、該板体２３は、ランプシェードとなるハウジング２両側にまたがって固定するための第一延伸支部２３１及び第二延伸支部２３２を備え、それぞれ第一固定部品２１及び第二固定部品２２を介してハウジングの両側に固定する。これら第一固定部品２１及び第二固定部品２２とハウジング２側面との間には導熱体4を介してヒートパイプ２４，２５を設け、発光モジュール1が発生した熱をハウジング２に伝えて放熱させ、これにより放熱効果を大幅に高める効果を達成する。【選択図】図１
0003165305.tif 000002
【実用新案登録請求の範囲】
【請求項１】
片面に発光モジュールを搭載した板体及び該板体を収容するハウジングからなり、
該板体両側に該ハウジングを跨いでその両側壁に固定するための延長部である第一延伸支部及び第二延伸支部をそれぞれ少なくとも１つづつ設けて、それらの第一延伸端及び第二延伸端を、第一固定部品の第一固定部、および第二固定部品の第二固定部によりそれぞれハウジング両側壁に固定した、
ことを特徴とする放熱構造を具えた発光モジュールのハウジング。
【請求項２】
前記放熱構造を具えた発光モジュールのハウジングはさらに、固定部材を備え、
該固定部材を、前記第一延伸端及び該第一固定部品に通してこれ等をハウジング側壁に固定したことを特徴とする請求項１に記載の放熱構造を具えた発光モジュールのハウジング。
【請求項３】
前記放熱構造を具えた発光モジュールのハウジングはさらに、固定部材を備え、
該固定部材を、該第二延伸端及び該第二固定部品に通してこれ等をハウジング側壁に固定したことを特徴とする請求項１に記載の放熱構造を具えた発光モジュールのハウジング。
【請求項４】
前記発光モジュールは、少なくとも１個の固定部材により、該板体片面に固定されたことを特徴とする請求項１に記載の放熱構造を具えた発光モジュールのハウジング。
【請求項５】
前記発光モジュールは、LED発光モジュールであることを特徴とする請求項１に記載の放熱構造を具えた発光モジュールのハウジング。
【請求項６】
前記第一固定部と該ハウジングとの間には、導熱体を備えたことを特徴とする請求項１に記載の放熱構造を具えた発光モジュールのハウジング。
【請求項７】
前記第二固定部と該ハウジングとの間には、導熱体を備えたことを特徴とする請求項１に記載の放熱構造を具えた発光モジュールのハウジング。
【請求項８】
前記導熱体は、熱伝導性フィルム或いは導熱シリコンの内のいずれかであることを特徴とする請求項６或いは７に記載の放熱構造を具えた発光モジュールのハウジング。
【請求項９】
前記ハウジングは、ランプシェードであることを特徴とする請求項１に記載の放熱構造を具えた発光モジュールのハウジング。
【請求項１０】
前記第一固定部と該ハウジングとの間には、第一ヒートパイプの一端を通して設置し、
該第一ヒートパイプの反対端は、該板体と該ハウジングとの間に通して設置したことを特徴とする請求項１に記載の放熱構造を具えた発光モジュールのハウジング。
【請求項１１】
前記第一固定部と該ハウジングとの間には、第二ヒートパイプの一端を通して設置し、
該第二ヒートパイプの反対端は、該板体と該ハウジングとの間に通して設置したことを特徴とする請求項１に記載の放熱構造を具えた発光モジュールのハウジング。
【考案の詳細な説明】
【技術分野】
【０００１】
本考案は、放熱構造を具えた発光モジュールのハウジングに関し、特に固定と導熱の効果を兼ね備えた放熱構造を具えた発光モジュールのハウジングに関する。
【背景技術】
【０００２】
環境保護、省エネ、二酸化炭素排出削減の要求及び課題に対応するため、現在、街路灯設備の発光部材は、ハロゲンランプ、白熱灯ランプから、発光ダイオードに徐々に換えられるようになっている。
発光ダイオード(Light Emitting Diode、以下LEDと呼称)は、1950年代に開発され、今では幅広く応用されている。
【０００３】
LEDは、電気エネルギーを直接光エネルギーに転化する原理を利用する。
先ず、V族元素（例えば、塩素（N）、リン（P）、ヒ素（As）等）とIII族元素（例えば、アルミニウム（Al）、ガリウム（Ga）、インジウム（In）等）を、液相エピタキシャル成長法(liquid Phase Epitaxy、LPEと略称)或いは、気相エピタキシャル成長法（Vapor Phase Epitaxy、VPEと略称)等のプロセスを通して、III-V族化合物半導体（例えば、リン化ガリウム（GaP）或いはヒ素化ガリウム（GaAs））結晶を製造し、基板とする。
次に、該基板のプラスとマイナスに電圧を加える。
電流が通過すると、電子とホールが相互に結合して発光するが、電気的エネルギーを光に変換する効率が白熱灯などに比べて極めて高く、電力消費量が大幅に低減できる。
【０００４】
しかし、従来のハロゲンランプ、白熱灯ランプの街路灯を全面的にLED型の街路灯に換えるのは容易なことではない。
なぜなら、伝統的なハロゲン、白熱灯ランプのランプ台とLEDのランプ台とは、電源が全く異なり、しかもランプ等の固定構造も異なるため、簡単にそのまま交換することができず、LED型街路灯に交換しようとする場合、街路灯全体をまとめて交換しなければならないため、コストパフォーマンスが劣るからである。
【０００５】
一方、LEDは節電及び輝度向上の特性を備えてはいるが、高輝度LEDは伝統的なハロゲン、白熱灯ランプよりも高い熱を発生する。
そのため、放熱部材を組み合わせ放熱を行う必要があるが、伝統的なハロゲン、白熱灯ランプの街路灯は、発生する熱が比較的低いため、基本的には放熱の必要がなく、構造上放熱面の設計が考慮されていない。
しかし、LED街路灯は放熱要求が比較的高いため、伝統的なハロゲン、白熱灯ランプの外殼等の主体部品を直接用いることができず、完全に新しく設計し、外殼等対応する部品の金型を新たに製造し、安全試験もすべて新たに行う必要がある。
これでは、投入するコストが高過ぎ、開発サイクルも長くなりすぎる。
【０００６】
上記したように、従来の技術には以下の欠点がある。
1.    コストが高すぎる。
2.    開発サイクルが長すぎる。
3.    直接置換できない。
本考案は、従来の街路灯構造の上記した欠点に鑑みてなされたものである。
【先行技術文献】
【特許文献】
【０００７】
【特許文献１】特開２０１０−１７０９７７号公報
【考案の概要】
【考案が解決しようとする課題】
【０００８】
本考案が解決しようとする課題は、白熱灯ランプをLEDランプにそのまま置換できる放熱構造を具えた発光モジュールのハウジングで、LEDランプ光源からの熱を照明具に伝えて放熱することにより放熱性能を高めることができる放熱構造を具えた発光モジュールのハウジングを提供することである。
【課題を解決するための手段】
【０００９】
上記課題を解決するため、本考案は下記の放熱構造を具えた発光モジュールのハウジングを提供する。
放熱構造を具えた発光モジュールのハウジングは、発光モジュールをハウジング内に固定して設置するものであって、
第一固定部品、第二固定部品、板体を具え、
該第一固定部品は、第一固定部を備え、該ハウジング内の片側に接着して設置し、
該第二固定部品は、第二固定部を備え、該ハウジングの該第一固定部品に相対する反対側に接着して設置し、
該板体は、少なくとも１個の第一延伸支部及び少なくとも１個の第二延伸支部を備え、
該第一延伸支部は、第一延伸端を備え、該第一固定部品に対応して接続し、該第二延伸支部は、第二延伸端を備え、該第二固定部品に対応して接続し、
該発光モジュールは、該板体の片側平面に固定して設置し、
該第一ヒートパイプ一端は、該第一固定部と該ハウジングとの間に通して設置し、該第一ヒートパイプ反対端は、該板体と該ハウジングとの間に通して設置し、
該第二ヒートパイプ一端は、該第二固定部と該ハウジングとの間に通して設置し、該第二ヒートパイプ反対端は、該板体と該ハウジングとの間に通して設置する。
【考案の効果】
【００１０】
本考案の放熱構造を具えた発光モジュールのハウジングの構造を通して、伝統的な街路灯或いは照明具中の伝統的な白熱灯ランプを、LEDランプにそのまま交換して使用することができるため、ランプ台構造を交換するためにランプシェードを交換しなければならないということがなくなる。
さらに、発生した熱をランプシェードに伝え放熱するため、コストを節減し、さらに放熱性能を向上させ、使用寿命を延長することもできる。
【図面の簡単な説明】
【００１１】
【図１】本考案立体分解図である。
【図２】本考案立体組合せ図である。
【考案を実施するための形態】
【００１２】
以下に図面を参照しながら本考案を実施するための最良の形態について詳細に説明する。
【実施例】
【００１３】
図１、２に示すように、放熱構造を具えた発光モジュールのハウジングは、発光モジュール1をハウジング2内に固定して設置するために用いる。
【００１４】
該ハウジング2は、ランプシェードであって、第一固定部品21、第二固定部品22、板体23、第一ヒートパイプ24、第二ヒートパイプ25を具える。
【００１５】
該第一固定部品21は、第一固定部211を備え、該ハウジング2内片側に接着して設置する。
【００１６】
該第二固定部品22は、第二固定部221を備え、該ハウジング2の該第一固定部品21に相対する反対側に接着して設置する。
【００１７】
該板体23は、熱伝導性を備え、該第一固定部品21に対応して接続するための、少なくとも１個の第一延伸支部231及び該第二固定部品22に対応して接続するための、少なくとも１個の第二延伸支部232を備える。
【００１８】
以上により、該第一延伸支部231は、第一延伸端2311を備え、該第一固定部品21に対応して接続し、該第二延伸支部232は、第二延伸端2321を備え、該第二固定部品22に対応して接続する。
【００１９】
該発光モジュール1は、LED発光モジュールであって、少なくとも１個の固定部材3により、該板体23の片面に固定して設置する。
【００２０】
該第一、二固定部211、221と該ハウジング3との間には、導熱体4を設置し、該導熱体4は、熱伝導性フィルム或いは導熱シリコンの内のいずれかである。
【００２１】
該第一延伸端2311及び該第一固定部品21及び該第二延伸端2321及び該第二固定部品22は、固定部材3を介して該ハウジングに固定される。
【００２２】
該第一ヒートパイプ24一端は、該第一固定部211と該ハウジング2との間に通して設置され、反対端は、該板体23と該ハウジング2との間に通して設置される。
【００２３】
該第二ヒートパイプ25一端は、該第二固定部221と該ハウジング2との間に通して設置され、反対端は、該板体23と該ハウジング2との間に通して設置される。
【００２４】
本考案放熱構造を具えた発光モジュールのハウジングの設計により、従来の街路灯或いは照明具中の白熱灯ランプを、そのままLEDランプと交換して使用することができるため、ランプ台構造の交換が必要で、ランプシェード構造全体を交換する必要はない。
さらに、発生した熱をランプシェードに伝えて放熱することができ、これにより放熱の目的を達成することができる。
こうして、コストを節減し、放熱性能を向上させ、使用寿命を延長することもできる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
1  発光モジュール
2  ハウジング
21  第一固定部品
211  第一固定部
22  第二固定部品
221  第二固定部
23  板体
231  第一延伸支部
2311  第一延伸端
232  第二延伸支部
2321  第二延伸端
24  第一ヒートパイプ
25  第二ヒートパイプ
3  固定部材
4  導熱体
【図１】
0003165305.tif 000003
【図２】
0003165305.tif 000004